(57)【要約】【課題】既設鉄塔の外側に容易に取り付けて安全に使用できる台棒装置と、これを用いた鉄塔の組立工法を提供する。【解決手段】台座２と起伏ワイヤ支持金具４を既設鉄塔Ｔ１の主柱材４１に固定する。起伏用滑車１９にワイヤ３２を掛け回してその一端を台棒３に係止し、他端を地上のウインチに係止して台棒３を吊り上げる。台棒３が所定高さに達したら、台棒３の上端部を水平起立状態のガイドフレーム２０のガイド部２１に通し、ガイド部２１に案内させて、さらに台棒３を吊り上げる。台棒３の基端が台座取付位置に達したら、台棒３の基端を台座２上に支持する。ワイヤ５の一端側を台棒３の先端の滑車７を介して垂下させ、他端側をウインチへ接続し、またワイヤ６の一端側を台棒３の先端部へ係止し、中間を滑車１９に掛け回し、他端側をウインチへ接続する。ガイドフレーム２０のガイド部２１を開放して台棒３を自由にし、資材の吊り上げ作業を可能とする。【選択図】図２
2004293136.tif 000002
【特許請求の範囲】
【請求項１】
鉄塔の主柱材の外側に支持して資材の吊り上げに用いられる台棒装置であって、
前記主柱材に固定される台座と、この台座上に前後起伏、左右旋回自在に基端を支持される台棒と、前記台座より上方に位置して前記主柱材に固定される起伏ワイヤ支持金具と、一端側が前記台棒の先端の吊り上げ用滑車を介して垂下し他端側がウインチへ接続される吊り上げワイヤと、一端側が前記台棒の先端部へ係止され中間が前記起伏ワイヤ支持金具の起伏用滑車に掛け回され他端側がウインチへ接続される起伏ワイヤとを具備し、
前記起伏ワイヤ支持金具は、前記主柱材に固定される支持部材と、この支持部材に水平旋回自在に支持されて前方へ張り出す滑車支持ブラケットと、この滑車支持ブラケットに軸支された前記起伏用滑車と、基端側が前記滑車支持ブラケットに垂直方向に起立転倒自在に軸支されたガイドフレームとを具備し、
このガイドフレームは、水平起立状態において前記起伏用滑車よりも前方へ張り出し、前記台棒を取り付け位置へ引き上げるときに台棒を上下に相対移動自在に挿通させる開放可能なガイド部を有することを特徴とする鉄塔外付型台棒装置。
【請求項２】
前記ガイドフレームは、水平起立状態で、引き上げ時の前記台棒の左右の側面に対向して伸びる平行一対の支持アームと、この支持アームに前後に相対向して引き上げ時の前記台棒の前後の側面に接して回転するように支持された平行一対のガイドローラとを有し、前方のガイドローラの軸の一端側が一方の前記支持アームの先端部に枢支され、他端側が他方の前記支持アームの先端部に係合、離脱自在に構成されることを特徴とする請求項１に記載の鉄塔外付型台棒装置。
【請求項３】
前記起伏ワイヤ支持金具の支持部材は、前記鉄塔の一対の水平材に固着される一対の取付部材と、この取付部材に基端が結合され前記水平材の外側に沿って前記主柱材の前方まで伸びる一対の水平アームと、この水平アームの下方において前記主柱材に結合された下部取付部材と、この下部取付部材に下端が結合され前記主柱材に沿って前方に傾いて上方へ伸びる縦アームと、この縦アームの上端及び前記一対の水平アームの先端に結合されて前記主柱材の前方に支持され前記滑車支持ブラケットを水平回動自在に支持する軸受部材とを具備することを特徴とする請求項１又は２に記載の鉄塔外付型台棒装置。
【請求項４】
鉄塔の主柱材の外側に支持して資材の吊り上げに用いられる台棒装置であって、
前記主柱材に固定される台座と、この台座上に前後起伏、左右旋回自在に基端を支持される台棒と、前記台座より上方に位置して前記主柱材に固定される起伏ワイヤ支持金具と、一端側が前記台棒の先端の吊り上げ用滑車を介して垂下し他端側がウインチへ接続される吊り上げワイヤと、一端側が前記台棒の先端部へ係止され中間が前記起伏ワイヤ支持金具の起伏用滑車に掛け回され他端側がウインチへ接続される起伏ワイヤとを具備し、
前記起伏ワイヤ支持金具は、前記主柱材に固定される支持部材と、この支持部材に水平旋回自在に支持されて前方へ張り出した滑車支持ブラケットと、この滑車支持ブラケットに軸支された前記起伏用滑車とを具備し、
前記起伏ワイヤ支持金具の支持部材は、前記鉄塔の一対の水平材に固着される一対の取付部材と、この取付部材に基端が結合され前記水平材の外側に沿って前記主柱材の前方まで伸びる一対の水平アームと、この水平アームの下方において前記主柱材に結合された下部取付部材と、この下部取付部材に下端が結合され前記主柱材に沿って前方に傾いて上方へ伸びる縦アームと、この縦アームの上端及び前記一対の水平アームの先端に結合されて前記主柱材の前方に支持され前記滑車支持ブラケットを水平回動自在に支持する軸受部材とを具備することを特徴とする鉄塔外付型台棒装置。
【請求項５】
前記台座は、前記台棒の基端を支持するための縦軸を有する台座本体と、この台座本体との間に前記主柱材を挟んでボルトで締め付けられる締め付け部材と、前記鉄塔の一対の斜材に固着される一対の取付部材と、この取付部材に基端が結合されて前記主柱材の前方まで水平に伸び先端が前記台座本体に結合される一対の水平アームとを具備することを特徴とする請求項１乃至４の何れかに記載の鉄塔外付型台棒装置。
【請求項６】
鉄塔の主柱材に、資材吊り上げ用の台棒を起伏、旋回自在に支持する台座であって、
前記台棒の基端に結合するための水平回転自在の縦軸を有する台座本体と、この台座本体との間に前記主柱材を挟んでボルトで締め付けられる締め付け部材と、前記鉄塔の一対の斜材に固着される一対の取付部材と、この取付部材に基端が結合されて前記主柱材の前方まで水平に伸び先端が前記台座本体に結合される一対の水平アームとを具備することを特徴とする鉄塔への台棒取付用台座。
【請求項７】
鉄塔の主柱材に起伏、旋回自在に支持された資材吊り上げ用台棒の起伏ワイヤを支持するために鉄塔の主柱材に固定される起伏ワイヤ支持金具であって、
前記主柱材に固定される支持部材と、前方へ張り出すように前記支持部材に水平旋回自在に支持された滑車支持ブラケットと、この滑車支持ブラケットに軸支された起伏用滑車とを具備し、
前記支持部材は、前記鉄塔の一対の水平材に固着される一対の取付部材と、この取付部材に基端が結合され前記水平材の外側に沿って前記主柱材の前方まで伸びる一対の水平アームと、この水平アームの下方において前記主柱材に結合された下部取付部材と、この下部取付部材に下端が結合され前記主柱材に沿って前方に傾いて上方へ伸びる縦アームと、この縦アームの上端及び前記一対の水平アームの先端に結合されて前記主柱材の前方に支持され前記滑車支持ブラケットを水平回動自在に支持する軸受部材とを具備することを特徴とする台棒の起伏ワイヤ支持金具
【請求項８】
既設鉄塔の主柱材に台棒を前後起伏、左右旋回自在に支持して資材を吊り上げ、当該既設鉄塔の近傍位置に新設鉄塔を組み立てる方法であって、以下の工程を含むことを特徴とする鉄塔の建設方法。
（１）  前記主柱材の外側に固定される台座を用意する工程と、
（２）  この台座上に前後起伏、左右旋回自在に基端を支持される台棒を用意する工程と、
（３）  前記主柱材に固定される起伏ワイヤ支持金具であって、前記主柱材に固定される支持部材と、この支持部材から前方へ張り出して水平旋回自在に支持された滑車支持ブラケットと、この滑車支持ブラケットに軸支された起伏用滑車と、基端側が前記滑車支持ブラケットに垂直方向に起立転倒自在に軸支されたガイドフレームとを具備し、このガイドフレームが、水平起立状態において前記起伏用滑車よりも前方へ張り出して前記台棒を取り付け位置へ引き上げるときに上下に相対移動自在に挿通させる開放可能なガイド部を有するものを用意する工程と、
（４）  前記既設鉄塔の主柱材に台座を固定する工程と、
（５）  前記台座より上方に位置して前記主柱材に前記起伏ワイヤ支持金具を固定する工程と、
（６）  前記起伏ワイヤ支持金具の前記起伏用滑車にワイヤを掛け回してその一端を前記台棒に係止し、他端を地上のウインチに係止して台棒を吊り上げ、所定高さに達した台棒の上端部を水平起立した前記ガイドフレームのガイド部に通し、台棒の基端が前記台座取付け位置に達するまで、ガイド部に案内させてさらに台棒を吊り上げる工程と、
（７）  前記台棒の基端を前記台座上に起伏、旋回自在に支持する工程と、
（８）  吊り上げワイヤの一端側を前記台棒の先端の吊り上げ用滑車を介して垂下させ、他端側をウインチへ接続する工程と、
（９）  起伏ワイヤの一端側を前記台棒の先端部へ係止し、中間を前記起伏ワイヤ支持金具の起伏用滑車に掛け回し、他端側をウインチへ接続する工程と、
（１０）  前記ガイドフレームのガイド部を開放して前記台棒を自由にし、資材の吊り上げ作業を可能とする工程。
【発明の詳細な説明】
【０００１】
【発明の属する技術分野】
この発明は、既設の鉄塔の近傍位置に新たに鉄塔を建設する工事等において、資材を吊り上げるために用いられる台棒装置と称されるクレーンと、これを用いた鉄塔の組立工法に関する。
【０００２】
【従来の技術】
従来の鉄塔組立工法には、台棒組立、鉄塔内設置せり上げクレーン組立、クレーン車組立の３種類がある。台棒組立工法は、組立途上の鉄塔の主柱材を利用してその内側に台棒を取付け、当該鉄塔の構成部材を吊り上げて組立てる工法である（例えば特許文献１参照）。既設の鉄塔の近傍位置に新たに鉄塔を建設する場合等には、クレーン車のクレーンで既設鉄塔を解体した後、上記従来工法で新設鉄塔を組み立てる。クレーン車の入れない場所では、ワイヤロープを使用して台棒を既設鉄塔に縛り付けて使用することが行われているが、安全性や作業効率に問題がある。
【０００３】
【特許文献１】特開昭６０−５６７９３号公報（図１）
【０００４】
【発明が解決しようとする課題】
この発明は、鉄塔の外側に容易に取り付けて安全に使用できる台棒装置と、これを用いた鉄塔の組立工法を提供することを目的としている。
【０００５】
【課題を解決するための手段】
この発明においては、上記課題を解決するため、台棒装置１に、台座２、台棒３、起伏ワイヤ支持金具４、吊り上げワイヤ５、起伏ワイヤ６を具備させた。台座２は既設鉄塔Ｔ１の主柱材４１の外側に固定される。起伏ワイヤ支持金具４は、台座２より上方に位置して主柱材４１に固定される。台棒３は、基端において台座２上に前後起伏、左右旋回自在に支持される。吊り上げワイヤ５は、台棒３の先端の吊り上げ用滑車７に掛けられ、一端側が資材つり上げのために垂下し、他端側がウインチへ接続される。起伏ワイヤ６は、一端側が台棒３の先端部へ係止され、中間が起伏ワイヤ支持金具４の起伏用滑車１９に掛け回され、他端側がウインチへ接続される。起伏ワイヤ支持金具４は、主柱材４１に固定される支持部材１６と、この支持部材１６に水平旋回自在に支持されて前方へ張り出す滑車支持ブラケット１８と、この滑車支持ブラケット１８に軸支された起伏用滑車１９とを具備する。この構成の台棒装置１は、既設鉄塔の外側に容易に取り付けでき、安全性も確保される。
起伏ワイヤ支持金具４の滑車支持ブラケット１８に垂直方向に起立転倒自在にガイドフレーム２０の基端側を軸支し、このガイドフレーム２０に、ガイド部２１を設ける構成にすれば、水平起立状態において起伏用滑車１９よりも前方へガイド部２１を張り出させ、台棒３を取り付け位置へ引き上げるときに、これを上下に相対移動自在に包囲して案内し、また台棒接続後、開放して台棒３を自由にすることができる。これにより台棒３の吊り上げ作業を円滑、安全に進行できる。
【０００６】
この台棒装置１を用いて鉄塔の組立作業を行う場合には、台座２と起伏ワイヤ支持金具４を既設鉄塔Ｔ１の主柱材４１に固定した後、起伏ワイヤ支持金具４の起伏用滑車１９にワイヤ３２を掛け回してその一端を台棒３に係止し、他端を地上のウインチに係止して台棒３を吊り上げる。台棒３が所定高さに達したら、台棒３の上端部を水平起立状態にしたガイドフレーム２０のガイド部２１に通し、台棒３の基端が台座２の取付位置に達するまで、ガイド部２１に案内させて、さらに台棒３を吊り上げる。台棒３の基端が台座取付位置に達したら、台棒３の基端を台座２上に起伏、旋回自在に支持する。次いで、吊り上げワイヤ５の一端側を台棒３の先端の吊り上げ用滑車７を介して垂下させ、他端側をウインチへ接続し、また起伏ワイヤ６の一端側を台棒３の先端部へ係止し、中間を起伏ワイヤ支持金具４の起伏用滑車１９に掛け回し、他端側をウインチへ接続する。次いで、ガイドフレーム２０のガイド部２１を開放して台棒３を自由にし、資材の吊り上げ作業を可能とする。
【０００７】
【発明の実施の形態】
図面を参照して本発明の実施の形態を説明する。図１は鉄塔の組立方法の説明図、図２は台棒装置の使用状態の正面図、図３、図４は台棒の吊り上げ工程を示す正面図、図５は台棒の接続工程を示す正面図、図６は台座の正面図、図７は台座の平面図、図８は起伏ワイヤ支持金具の正面図、図９は起伏ワイヤ支持金具の平面図である。
【０００８】
図１において、台棒装置１は、既設鉄塔Ｔ１の主柱材４１上に取り付けられ、近傍位置に新設される鉄塔Ｔ２の組立用資材を吊り上げるために使用される。
【０００９】
図２に示すように、台棒装置１は、台座２、台棒３、起伏ワイヤ支持金具４、吊り上げワイヤ５、起伏ワイヤ６を備える。台座２は、既設鉄塔Ｔ１の主柱材４１に固定される。起伏ワイヤ支持金具４は、台座２より上方に位置して主柱材Ｔ１に固定される。台棒３は、台座２上に前後に起伏、左右に旋回自在に基端が支持される。吊り上げワイヤ５は、台棒２の先端の吊り上げ用滑車７に掛けられ、一端側が資材つり上げのために垂下し、他端側が図示しない地上のウインチへ接続される。起伏ワイヤ６は、一端が起伏ワイヤ支持金具４の止め金具３３に係止され、台棒３の先端部の滑車８を経て、中間が起伏ワイヤ支持金具４の起伏用滑車１９に掛け回され、他端側が図示しない地上のウインチへ接続される。
【００１０】
図６、図７に示すように、台座２は、台棒３の基端を支持する縦軸９を有する台座本体１０と、この台座本体１０との間に主柱材４１を挟んでボルト１２で締め付けられる締め付け部材１１と、鉄塔Ｔ１の一対の斜材４２に固着される一対の取付部材１３と、この取付部材１３に基端がボルト１５で結合されて主柱材４１の前方まで水平に伸びる一対の水平アーム１４とを具備する。一対の水平アーム１４は、先端側が台座本体１０に結合され、既設鉄塔Ｔ１の外側面に沿って互いにほぼ９０°の角度で広がるように配置される。水平アーム１４は、ボルト１５の位置を調整するためのスリット１４ａを有するので、取り付け位置が上下に変更されて主柱材４１と斜材４２との距離が変わっても容易に対応できる。台座本体１０は、締め付け部材１１と水平アーム１４とで確実に支持されるから安全であり、また取付も容易である。
なお、台座２の主柱材４１への支持方法は、上記実施形態に限定されるものではなく、既設鉄塔を構成している種々の補助材を適宜選択して支持体とすることができる。
【００１１】
図８、図９に示すように、起伏ワイヤ支持金具４は、主柱材４１に固定される支持部材１６と、この支持部材１６に軸１７で水平旋回自在に支持された滑車支持ブラケット１８を有する。滑車支持ブラケット１８は、前方へ張り出し、起伏用滑車１９を軸支する。滑車支持ブラケット１８には、ガイドフレーム２０の基端側が垂直方向に起立転倒自在に軸支される。このガイドフレーム２０は、図４，図５，図９に示すように、水平起立状態において、起伏用滑車１９よりも前方へ張り出す位置にガイド部２１を有する。ガイド部２１は、台棒３を取り付け位置へ引き上げるときに台棒３を上下に相対移動自在に包囲し、また台棒接続後、開放して台棒３を自由にすることができる。
【００１２】
ガイドフレーム２０は、水平起立状態において、起伏用滑車１９よりも前方位置で左右に対向して伸びる平行一対の支持アーム２２と、この支持アーム２２に前後に相対向して支持された平行一対のガイドローラ２３，２４とを有する。支持アーム２２とガイドローラ２３，２４とで囲まれた矩形の空間が、引き上げ時に台棒３を挿通させるガイド部２１を構成する。ガイドローラ２３，２４は、台棒３の前後の側面に接して回転する。前方のガイドローラ２４の軸の一端側２４ａは、一方の支持アーム２２の先端部に枢支され、他端側２４ｂが他方の支持アーム２２の先端部に係合、離脱自在に構成され、これによってガイド部２１は開閉自在である。
図１０に示す他の実施形態においては、ガイドローラ２４に代えてスリング３４が支持アーム２２の両端間に着脱自在に係止される。
【００１３】
起伏ワイヤ支持金具４の支持部材１６は、取付部材２５、水平アーム２６、下部取付部材２７、縦アーム２８及び軸受部材２９を有する。一対の取付部材２５は、主柱材４１に結合されている水平材４３に固着される。水平アーム２６は、取付部材２５に基端で結合され、水平材４３の外側に沿って主柱材４１の前方まで伸び、ボルト３０で軸受部材２９に結合される。下部取付部材２７は、水平アーム２６の下方において主柱材４１に結合される。縦アーム２８は、下部取付部材２７に下端が結合され、主柱材４１に沿って前方に傾いて上方へ伸び、上端においてボルト３１で軸受部材２９に結合される。起伏ワイヤ支持金具４は、取付部材２５、水平アーム２６、下部取付部材２７、縦アーム２８で確実に支持されるから安全であり、また取付も容易である。
なお、起伏ワイヤ支持金具４の主柱材４１への支持方法は、上記実施形態に限定されるものではなく、既設鉄塔を構成している種々の補助材を適宜選択して支持体とすることができる。
【００１４】
この台棒装置１を用いて鉄塔の組立作業を行う場合には、既設鉄塔の所要位置に台座２と起伏ワイヤ支持金具４を予め固定し、図３に示すように、起伏ワイヤ支持金具４の起伏用滑車１９にワイヤ４２を掛け回してその一端を台棒３の先端部に係止し、他端を図示しない地上のウインチに係止して台棒３を吊り上げる。台棒３が所定高さに達したら、図４に示すように、ワイヤ４２を台棒３の下端部に付け替え、台棒３の上端部を水平起立状態にしたガイドフレーム２０のガイド部２１に通し、台棒３の基端が台座２に達するまで、ガイド部２１に案内させて、さらに台棒３を吊り上げる。台棒３の基端が台座２に達したら、台棒３の基端を台座２の縦軸９に連結し、起伏、旋回自在に支持する。なお、台座２は、台棒３の基端を台座取り付け位置まで吊り上げてから鉄塔に固定することもできる。次いで、吊り上げワイヤ５の一端側を台棒３の先端の吊り上げ用滑車７を介して垂下させ、他端側を図示しない地上のウインチへ接続し、また起伏ワイヤ６の一端側を滑車８を介して台棒３の先端部へ係止し、中間を起伏ワイヤ支持金具４の起伏用滑車１８に掛け回し、他端側を図示しない地上のウインチへ接続する。次いで、ガイドフレーム２０のガイドローラ２４の一端側を外してガイド部２１を開放し、台棒３を自由にする。これで台棒３は起伏及び旋回可能となり、資材の吊り上げ作業を行うことができる。新設鉄塔の組立の進行に従って、台棒装置１の取り付け位置を順次既設鉄塔Ｔ１の上方へ移していく。
なお、新設鉄塔の組立完了後に、この台棒装置１を新設鉄塔の主柱材に取り付けて既設鉄塔を解体する作業のために使用することができる。
【００１５】
図１１，図１２には、台座の他の実施形態を示す。なお、先の実施形態と実質的に同一の構成部には同一の符号を付して説明を省略する。
先の実施形態においては、台座２が、アングル鋼材を組んで構成された鉄塔Ｔ１に取り付けられるが、この実施形態においては、台座２は、鋼管を組んで構成された鉄塔Ｔ１に適用される。鉄塔Ｔ１の主柱材４１及び斜材４２は何れも鋼管で構成される。従って、台座本体及び締付部材１１は、鋼管製の主柱材４１を挟み込むのに適した形状である。鋼管製の斜材４２に固着される取付部材１３も円筒形斜材４２に固着するに適した形状、構造である。
【００１６】
図１３，図１４には、起伏ワイヤ支持金具４の他の実施形態を示す。なお、先の実施形態と実質的に同一の構成部には同一の符号を付して説明を省略する。
先の実施形態においては、起伏ワイヤ支持金具４が、アングル鋼材を組んで構成された鉄塔Ｔ１に取り付けられるが、この実施形態においては、起伏ワイヤ支持金具４は、鋼管を組んで構成された鉄塔Ｔ１に適用される。鉄塔Ｔ１の主柱材４１及び水平材４３は何れも鋼管で構成される。従って、取付部材２５、下部取付部材２７は、鋼管製の水平材４３又は主柱材４１を挟み込むのに適した形状である。
【００１７】
【発明の効果】
以上のように、本発明は、鉄塔に容易に取り付けて安全に使用できる台棒装置と、これを用いて効率よく鉄塔の組立作業を行える工法を提供することができるという効果を有する。特に台棒３の吊り上げ時に、起伏ワイヤ支持金具４の起伏用滑車１９を台棒３の吊り上げ用滑車として利用することができ、またガイドフレーム２０により、転倒を防止しながら台棒３を安全かつ効率的に所定位置まで吊り上げることができる。
【図面の簡単な説明】
【図１】鉄塔の組立方法の説明図である。
【図２】台棒装置の使用状態の正面図である。
【図３】台棒の吊り上げ工程を示す正面図である。
【図４】台棒の吊り上げ工程を示す正面図である。
【図５】台棒の接続工程を示す正面図である。
【図６】台座の正面図である。
【図７】台座の平面図である。
【図８】起伏ワイヤ支持金具の正面図である。
【図９】起伏ワイヤ支持金具の平面図である。
【図１０】他の実施形態の起伏ワイヤ支持金具の平面図である。
【図１１】他の実施形態の起伏ワイヤ支持金具の正面図である。
【図１２】他の実施形態の起伏ワイヤ支持金具の平面図である。
【図１３】他の実施形態の起伏ワイヤ支持金具の正面図である。
【図１４】他の実施形態の起伏ワイヤ支持金具の平面図である。
【符号の説明】
１    台棒装置
２    台座
３    台棒
４    起伏ワイヤ支持金具
５    吊り上げワイヤ
６    起伏ワイヤ
７    吊り上げ用滑
８    滑車
９    縦軸
１０  台座本体
１１  締め付け部材
１２  ボルト
１３  取付部材
１４  水平アーム
１４ａ  スリット
１５  ボルト
１６  支持部材
１７  軸
１８  滑車支持ブラケット
１９  起伏用滑車
２０  ガイドフレーム
２１  ガイド部
２２  支持アーム
２３  ガイドローラ
２４  ガイドローラ
２４ａ  一端側
２４ｂ  他端側
２５  取付部材
２６  水平アーム
２７  下部取付部材
２８  縦アーム
２９  軸受部材
３０  ボルト
３１  ボルト
３２  ワイヤ
３３  止め金具
３４  スリング
４１  主柱材
４２  斜材
４３  水平材
Ｔ１  既設鉄塔
Ｔ２  新設鉄塔
【図１】
2004293136.tif 000003
【図２】
2004293136.tif 000004
【図３】
2004293136.tif 000005
【図４】
2004293136.tif 000006
【図５】
2004293136.tif 000007
【図６】
2004293136.tif 000008
【図７】
2004293136.tif 000009
【図８】
2004293136.tif 000010
【図９】
2004293136.tif 000011
【図１０】
2004293136.tif 000012
【図１１】
2004293136.tif 000013
【図１２】
2004293136.tif 000014
【図１３】
2004293136.tif 000015
【図１４】
2004293136.tif 000016